(57)【要約】  【課題】  本発明は、２者の間でのデータの受け渡しに伴う物理的な制約や技術的な制約を減らし、データの受け渡しを容易にすることが可能な情報取得装置を提供する。  【解決手段】  ＲＦＩＤタグの識別コードを読み取り可能なＲＦＩＤリーダ４０に接続された情報取得装置であって、所定のサーバ５５との間で通信する閲覧制御部４５を備え、前記閲覧制御部４５は、録画ボール１０内のＲＦＩＤタグ１２から前記ＲＦＩＤリーダ４０により読み取られた識別コードに対応するデータを、前記サーバ５５から取得する。【選択図】      図１
2007026282.tif 000002
【特許請求の範囲】
【請求項１】
ＲＦＩＤタグの識別コードを読み取り可能なＲＦＩＤリーダに接続された情報取得装置であって、
所定のサーバとの間で通信する通信部を備え、
前記通信部は、前記ＲＦＩＤリーダにより読み取られた前記ＲＦＩＤタグの識別コードに対応するデータを、前記サーバから取得する情報取得装置。
【請求項２】
請求項１に記載の情報取得装置であって、
前記ＲＦＩＤタグが付加された物体を収容可能な容器を備え、
前記容器は、少なくとも、前記ＲＦＩＤリーダによる識別コードの読み取りに利用されるアンテナを装着している情報取得装置。
【請求項３】
請求項１または２に記載の情報取得装置であって、
各種情報を表示可能な表示部を備え、
前記表示部は、前記通信部が取得したデータを表示する情報取得装置。
【請求項４】
請求項３に記載の情報取得装置において、
入力操作を受け付ける操作部と、
複数のＲＦＩＤタグの識別コード毎に対応付けられた複数のデータを表示する順序を、前記操作部が受け付けた入力操作に応じて決定する表示制御部と、
備える情報取得装置。
【請求項５】
請求項１から４のいずれか１項に記載の情報取得装置であって、
画像を撮像する撮像部を備え、
前記通信部は、前記撮像部により撮像した画像データを、前記ＲＦＩＤリーダにより読み取られた前記ＲＦＩＤタグの識別コードと対応付けて、前記サーバに送信する情報取得装置。
【発明の詳細な説明】
【技術分野】
【０００１】
本発明は、データの受け渡しに利用される情報取得装置に関し、特にＲＦＩＤ（Radio Frequency Identification）タグを利用する情報取得装置に関する。
【背景技術】
【０００２】
画像や音楽などを含むデータを２者の間で受け渡ししようとする場合には、例えば、従来よりＦＤ（フロッピーディスク）、ＣＤ（コンパクトディスク）、ＵＳＢメモリ、ビデオテープ、ＤＶＤのような物理的な記録媒体を用いてこれを手渡しする方法と、通信ネットワークを利用してパーソナルコンピュータのような情報通信機器同士の間で受け渡す方法と、などが用いられる。
【０００３】
なお、本発明に関連のある従来技術としては、非特許文献１〜非特許文献３に開示される研究資料が知られている。
【０００４】
【非特許文献１】Hiroshi Ishil 、 Brygg Ullmer、 Tangible bits: towards seamless interfaces between people、 bits and atoms、 Proceedings of the SIGCHI conference on Human factors in computing systems、 p.234-241、 March 22-27、 1997、 Atlanta、 Georgia、 Uuited States
【非特許文献２】Brygg Ullmer 、 Hiroshi Ishil 、 Dylan Glas、 mediaBlocks: physical containers、 transports、 and controls for online media. Proceedings of the 25th annual conference on Computer graphics and interactive techniques、 p.379-386、 July 1998
【非特許文献３】Roy Want 、 Kenueth P. Fishkin 、 Anuj Gujar 、 Beverly L. Hanison、 Bridging physical and virtual worlds with electronic tags、 Proceedings of the SIGCHI conference on Human factors in computing systems: the CHI is the limit、 p.370-377、 May 15-20、 1999、 Pittsburgh、 Pennsylvania、 United States
【発明の開示】
【発明が解決しようとする課題】
【０００５】
しかしながら、通信ネットワークを利用してデータの受け渡しを行う場合には、パーソナルコンピュータのような情報通信機器及び通信用の伝送路を使わなければならないので、情報通信機器が存在しない環境や通信用の伝送路が利用できないような環境ではデータの受け渡しができない。また、受け渡し対象データを保持するサーバをインターネット上などに配置した場合、不特定多数の人がサーバにアクセスできるため、特定の人との間だけでデータの受け渡しを行うことができない。
【０００６】
また、ＦＤ、ＣＤ、ビデオテープ、ＤＶＤのような物理的な記録媒体は比較的形状が大きく、持ち運びに不便な場合がある。しかも、この種の記録媒体は予め形状が定まっているので、用途などに応じて形状を選択することはできない。
【０００７】
また、ＵＳＢメモリのような記録媒体は、小型化したり、形状を変えることは可能であるが、特に大量の情報を蓄積するためには高価な半導体メモリを使用する必要があり、高価になるのは避けられない。従って、ＵＳＢメモリのような記録媒体自体を２者の間でやりとりすることによりデータの受け渡しをすることはできず、ＵＳＢメモリからデータを読み出してデータだけをコピーする機器を事前に用意しなければ受け渡しができないのが実情である。
【０００８】
本発明は、上記事情に鑑みてなされたもので、２者の間でのデータの受け渡しに伴う物理的な制約や技術的な制約を減らし、データの受け渡しを容易にすることが可能な情報取得装置を提供することを目的とする。
【課題を解決するための手段】
【０００９】
本発明の情報取得装置は、ＲＦＩＤタグの識別コードを読み取り可能なＲＦＩＤリーダに接続された情報取得装置であって、所定のサーバとの間で通信する通信部を備え、前記通信部が、前記ＲＦＩＤリーダにより読み取られた前記ＲＦＩＤタグの識別コードに対応するデータを、前記サーバから取得する、ものである。
【００１０】
この構成によれば、ＲＦＩＤタグが付加された物体を介して、データの受け渡しを行うことを想定している。すなわち、ＲＦＩＤタグの識別コードに対応付けたデータを事前にサーバ上に登録しておき、受け渡した物体に付加されたＲＦＩＤタグの識別コードを利用して前記サーバから該当するデータを取得する。
【００１１】
従って、２者の間で物理的に受け渡される物体については、少なくとも１つのＲＦＩＤタグが付加されたものであればよく、形状や大きさの制約は特にない。また、安価なＲＦＩＤタグを利用することにより、受け渡される物体も安価に構成できる。このため、２者の間で物理的に物体を手渡しするだけで、物体を受け取った人だけに該当するデータを渡すことができる。
【００１２】
また、本発明の情報取得装置は、前記ＲＦＩＤタグが付加された物体を収容可能な容器を備え、前記容器が、少なくとも、前記ＲＦＩＤリーダによる識別コードの読み取りに利用されるアンテナを装着しているものを含む。
【００１３】
この構成によれば、ＲＦＩＤタグが付加された物体を容器内に入れるという本装置利用者による簡単な作業で、受け取った物体から該当するデータを取得することができる。また、容器が複数の物体を収容できる程度の容量であれば、容器に収容された複数の物体の各々のＲＦＩＤタグの識別コードに対応する複数のデータをそれぞれ取得することができる。従って、容器内に収容する複数の物体を管理することにより、取得するデータ全体を管理することができる。さらに、複数のアンテナ素子が前記容器上の互いに異なる位置に配置するようにすれば、前記容器内に複数の物体が立体的に収容されているような場合であっても、それぞれの物体に近いアンテナ素子を利用して各ＲＦＩＤタグの識別コードを容易に読み取ることも可能になる。
【００１４】
また、本発明の情報取得装置は、各種情報を表示可能な表示部を備え、前記表示部が、前記通信部が取得したデータを表示するものを含む。
【００１５】
この構成によれば、映像のようなデータを受け渡しした場合に、受け取ったデータの内容を表示部の表示により確認することができる。
【００１６】
また、本発明の情報取得装置は、入力操作を受け付ける操作部と、複数のＲＦＩＤタグの識別コード毎に対応付けられた複数のデータを表示する順序を、前記操作部が受け付けた入力操作に応じて決定する表示制御部と、を備えるものを含む。
【００１７】
この構成によれば、複数の物体の受け渡しにより映像のようなデータを複数組受け渡しした場合に、受け取った複数組のデータの表示順序を操作部に対する入力操作により変更することができる。
【００１８】
また、本発明の情報取得装置は、画像を撮像する撮像部を備え、前記通信部が、前記撮像部により撮像した画像データを、前記ＲＦＩＤリーダにより読み取られた前記ＲＦＩＤタグの識別コードと対応付け、前記サーバに送信するものを含む。
【００１９】
この構成によれば、受け渡し対象の物体に付加されたＲＦＩＤタグの識別コードを読み取って、受け渡し対象のデータをサーバに登録することができる。
【発明の効果】
【００２０】
本発明によれば、ＲＦＩＤタグが付加された物体を介して、データの受け渡しを行うことができる。また、２者の間で物理的に受け渡される物体については、少なくとも１つのＲＦＩＤタグが付加されたものであればよく、形状や大きさの制約は特にない。また、安価なＲＦＩＤタグを利用することにより、受け渡される物体も安価に構成できる。このため、２者の間で物理的に物体を手渡しするだけで、物体を受け取った人だけに該当するデータを渡すことができる。
【発明を実施するための最良の形態】
【００２１】
本発明の情報取得装置を含む具体的なシステムの構成例を１つの実施の形態として図１〜図５に示す。
【００２２】
図１は実施の形態のシステムを構成する主要な構成要素の外観を示すブロック図である。図２は実施の形態のシステムにおいて映像を録画する場合に用いられる装置の構成を示すブロック図である。図３は実施の形態のシステムにおいて映像を閲覧する場合に用いられる装置の構成を示すブロック図である。図４は実施の形態のシステムにおいて映像を録画する場合の各部の動作を示すシーケンス図である。図５は実施の形態のシステムにおいて映像を閲覧する場合の各部の動作を示すシーケンス図である。
【００２３】
図１に示すシステムには、主要な構成要素として、録画ボール１０と、カメラユニット２０と、閲覧ユニット３０とが備わっている。カメラユニット２０は、映像を録画する場合に用いられる。閲覧ユニット３０は、映像を閲覧する場合に用いられる。録画ボール１０は、映像などのデータの受け渡しの媒体として用いられる。
【００２４】
但し、録画ボール１０は一般的な記録媒体のようにそれ自身がデータを記録するのではなく、録画ボール１０はデータ記録の際に単なる鍵として利用される。この例では、図１に示すように録画ボール１０は球形に構成してあるが、録画ボール１０の形状や大きさには特別な制約はない。
【００２５】
図２に示すように、録画ボール１０の内部には、制御部１１と、ＲＦＩＤタグ１２と、赤外線受光部１３と、３つの発光ダイオード（ＬＥＤ）１４（Ｒ）、１４（Ｇ）、１４（Ｂ）とが備わっている。なお、録画ボール１０は、最低１つのＲＦＩＤタグ１２を備える必要があるが、これ以外の構成要素は必須ではない。
【００２６】
ＲＦＩＤタグ１２は、一般的なＲＦＩＤタグと同様の構成を有している。すなわち、このタグに事前に割り当てられた固有の識別コードの情報を保持しており、所定のＲＦＩＤリーダとの間で非接触で通信が可能になっている。正規のＲＦＩＤリーダは、ＲＦＩＤタグ１２との間で通信を行うことにより、ＲＦＩＤタグ１２の識別コードを読み取ることができる。ＲＦＩＤタグ１２の１例として、パッシブタグまたはセミパッシブタグなどがある。
【００２７】
制御部１１は、マイクロプロセッサで構成されており、予め組み込まれたプログラムを実行することにより所定の制御動作を実現する。赤外線受光部１３は、赤外線センサであり、外部から到来する赤外線の信号を検出するために利用される。互いに発光色の異なる３つの発光ダイオード１４（Ｒ）、１４（Ｇ）、１４（Ｂ）は、発光によりシステムの動作状態を利用者に知らせるために利用される。
【００２８】
一方、カメラユニット２０は、映像を撮影し録画するために利用される。図１に示す例では、カメラユニット２０は円筒形状に形成してあり、その頂部に１個の録画ボール１０を配置できるように構成してある。映像を録画する場合には、１個の録画ボール１０をカメラユニット２０上に配置する必要がある。カメラユニット２０により録画する映像のデータは、使用する録画ボール１０に組み込まれたＲＦＩＤタグ１２の識別コードに対応付けて、制御用コンピュータ２８に登録される。
【００２９】
図２に示すように、カメラユニット２０には録画制御部２１と、カメラ２２と、マイク２３と、ステッピングモータ２４と、パンボタン２５と、録画ボタン２６とが備わっている。
【００３０】
カメラ２２は、例えば二次元ＣＣＤイメージセンサのような撮像デバイスが組み込まれた撮像装置（ＷＥＢカメラ）であり、受光面がカメラユニット２０の外側に向けて配置してある。また、パンボタン２５の操作によりステッピングモータ２４が駆動されると、カメラユニット２０の筐体に対するカメラ２２の向き（水平方向）が変化するように構成されている。
【００３１】
録画制御部２１は、マイクロプロセッサで構成されており、予め組み込まれたプログラムを実行することにより所定の制御動作を実現する。具体的には、録画制御部２１はパンボタン２５の操作に応答してステッピングモータ２４を駆動制御し、録画ボタン２６の操作に応答して録画のための制御を実施する。また、録画制御部２１はカメラユニット２０上に配置された録画ボール１０の制御部１１と電極を介して接続され、録画制御部２１と制御部１１との間で通信を行う。また、録画制御部２１には制御用コンピュータ２８が接続されている。
【００３２】
制御用コンピュータ２８は、録画した映像のデータを所定のネットワーク（例えばインターネット）上に接続されたサーバ５５に対して送信し登録するために設けてある。従って、制御用コンピュータ２８としては、通信が可能な一般的なパーソナルコンピュータを利用することが可能である。また、映像のデータを処理するために、制御用コンピュータ２８は例えばＦｌａｓｈプログラムのようなプログラムを実行する。なお、録画制御部２１と制御用コンピュータ２８とを一体に構成することもできる。
【００３３】
図２に示す構成要素を用いて録画を実施する場合には、図４に示すような手順により処理が実施される。録画の場合の具体的な動作について以下に説明する。
【００３４】
図１に示すようにカメラユニット２０上に１個の録画ボール１０を配置した状態で、利用者が録画ボタン２６を操作すると、カメラユニット２０内の録画制御部２１がこれを検出する。すなわち、カメラユニット２０の処理は図４のステップＳ１１に進む。
【００３５】
次に、カメラユニット２０の録画制御部２１は、ステップＳ１２で録画ボール１０に対してＩＤ（識別コード）を要求する。この場合、録画ボール１０内の制御部１１は、予め制御部１１自身が記憶しているＲＦＩＤタグのＩＤをステップＳ１３でカメラユニット２０に送信する。なお、録画ボール１０内の制御部１１は、同じ録画ボール１０に組み込まれているＲＦＩＤタグ１２からそれに割り当てられたＩＤを読み取り、その読み取ったＩＤをステップＳ１３でＩＤをカメラユニット２０に送信する構成としても良い。
【００３６】
次に、カメラユニット２０の録画制御部２１は、ステップＳ１４で録画開始指示とＩＤとを制御用コンピュータ２８に送信する。ここで送信するＩＤは、ステップＳ１３で録画ボール１０が送信したＩＤと同じものである。
【００３７】
制御用コンピュータ２８は、カメラユニット２０から録画開始指示を受信すると、ステップＳ１５で撮影開始指示をカメラユニット２０内のカメラ２２に送る。カメラ２２は、撮影開始指示を受信すると、一定の周期で画像を繰り返し撮影し、撮影した画像のデータ及びマイクで集音した音声のデータを含む映像のデータを制御用コンピュータ２８に継続的に送出する（Ｓ１６）。
【００３８】
制御用コンピュータ２８は、カメラ２２から受信した映像のデータを処理して蓄積すると共に、蓄積するデータの長さを時間により管理する。そして、撮影を開始してからの経過時間の長さが所定の制限時間（例えば１５秒）に到達すると、ステップＳ１７からＳ１８に進み、撮影終了指示をカメラ２２に送出する。この指示により、カメラ２２は撮影を終了する。
【００３９】
この後、制御用コンピュータ２８はカメラ２２から受信した映像のデータとカメラユニット２０から受信した録画ボール１０のＩＤとを互いに関連付けてサーバ５５に送信する。サーバ５５は、制御用コンピュータ２８から受信した映像のデータを、同時に入力された録画ボール１０のＩＤと関連付けた状態で所定の記憶装置（例えばハードディスク）に保存する（Ｓ２０）。
【００４０】
なお、録画制御部２１と制御部１１との通信によって得られる情報に基づき、制御部１１は録画ボール１０内の３つの発光ダイオード１４（Ｒ）、１４（Ｇ）、１４（Ｂ）を次のように制御する。すなわち、カメラ２２の撮影中には赤色の発光ダイオード１４（Ｒ）が点灯し、残り撮影時間（前記制限時間までの残り時間）が短くなると発光ダイオード１４（Ｒ）が点滅する。また、それ自身のＩＤに対応する映像がサーバ５５に既に登録されている場合には、緑色の発光ダイオード１４（Ｇ）が点灯する。なお、発光ダイオード１４の点灯方法は、これに限るものではない。
【００４１】
一方、サーバ５５に登録されている映像データをサーバ５５から取得する場合には、撮影の際に用いた特定の録画ボール１０と、図１に示す閲覧ユニット３０を含む映像閲覧装置５０とを用いる。
【００４２】
図１に示すように、閲覧ユニット３０の本体は球形に似た透明な容器３１で構成されている。また、容器３１の上部には録画ボール１０の通過が可能な大きさの開口部３２が形成されている。また、開閉可能な蓋３３が開口部３２の近傍に設置されている。蓋３３には複数のボタンが装着された操作部３４が設けてある。
【００４３】
また、容器３１の周辺部に表示部３５が設けてある。表示部３５は、映像などの二次元画像を表示することが可能な液晶表示器が備わっている。利用者は、開口部３７を介して表示部３５に表示された映像を見ることができる。
【００４４】
容器３１の内部には、同時に５個程度の録画ボール１０を収容可能な大きさの立体的な空間が形成されている。容器３１の内壁に沿って、ＲＦＩＤアンテナ３６が配置されている。このＲＦＩＤアンテナ３６は容器３１内の各録画ボール１０のＲＦＩＤタグ１２との間で非接触通信するために設けてある。図１に示す例では、ループ形状の２つのアンテナ素子を容器３１内の互いに異なる位置に配置してＲＦＩＤアンテナ３６を構成してある。このような構成の容器３１により、前記容器内に複数の物体が立体的に収容されているような場合であっても、それぞれの物体に近いアンテナ素子を利用して各ＲＦＩＤタグの識別コードを容易に読み取ることができる。
【００４５】
ＲＦＩＤアンテナ３６にはＲＦＩＤリーダ４０が接続してある。また、閲覧制御を行うために閲覧制御部４５が設けてある。閲覧制御部４５は、例えば通信機能を有する一般的なパーソナルコンピュータを用いて構成することができる。ＲＦＩＤリーダ４０及び操作部３４はそれぞれ閲覧制御部４５に接続されている。また、表示部３５はＡＶコンバータ（信号変換器）４６を介して閲覧制御部４５と接続されている。
【００４６】
サーバ５５に登録された映像のデータを取得して閲覧しようとする場合には、図３に示すように、少なくとも１つの録画ボール１０と、映像閲覧装置５０と、前述のサーバ５５とを利用する。つまり、録画の際に使用した録画ボール１０を、図１に示すように閲覧ユニット３０の容器３１の中に収容してからデータを取得する。
【００４７】
なお、図３において録画ボール１０の構成は図２と同一である。図３に示すように、映像閲覧装置５０には、主要な構成要素としてＲＦＩＤリーダ４０と、閲覧制御部４５と、操作部３４と、表示部３５と、赤外線発光ダイオード（ＬＥＤ）３８とが備わっている。なお、映像閲覧装置５０を構成している操作部３４と表示部３５と赤外線ＬＥＤ３８とは図１に示す閲覧ユニット３０の一部である。
【００４８】
閲覧制御部４５は、通信機能を有しており、例えばインターネットのようなネットワークを経由して、サーバ５５との間で通信することができる。なお、例えばサーバ５５のアドレスあるいはＵＲＬ（Uniform Resource Locator）を事前に決定して制御用コンピュータ２８及び閲覧制御部４５に登録しておくことにより、録画時と閲覧時とで共通のサーバ５５にアクセスすることが可能になる。閲覧制御部４５は、映像などを処理するために、Ｃ＃、Ｆｌａｓｈなどのプログラムを実行する。
【００４９】
閲覧ユニット３０に内蔵されている赤外線発光ダイオード３８は、閲覧制御部４５が出力する信号に従って赤外線を発光する。赤外線発光ダイオード３８の発光した赤外線は、容器３１内に収容された各録画ボール１０の赤外線受光部１３によって受光される。つまり、ＲＦＩＤタグ１２の通信とは別に、映像閲覧装置５０と録画ボール１０とが赤外線で通信することができる。
【００５０】
図３に示す構成要素を用いて映像の閲覧を実施する場合には、図５に示すような手順により処理が実施される。この場合の具体的な動作について以下に説明する。
【００５１】
図１に示すように閲覧ユニット３０の容器３１内に録画ボール１０が収容された状態、あるいは、録画ボール１０がＲＦＩＤアンテナ３６を通過する時点で、各録画ボール１０に内蔵されるＲＦＩＤタグ１２が送出する信号（ＩＤを含む高周波信号）が、ＲＦＩＤアンテナ３６を介してＲＦＩＤリーダ４０に入力される（図５のＳ３１）。
【００５２】
この場合、ＲＦＩＤリーダ４０は、信号を送出したＲＦＩＤタグ１２をステップＳ３２で認識し、ＲＦＩＤタグ１２のＩＤを閲覧制御部４５に送出する（Ｓ３３）。閲覧制御部４５は、ＲＦＩＤタグ１２のＩＤを受信すると、サーバ５５との間で通信経路を確保し、受信したＩＤを含む映像要求をサーバ５５に送信する（Ｓ３４）。
【００５３】
サーバ５５は、閲覧制御部４５からの映像要求を受信すると、映像要求に付加されているＲＦＩＤタグ１２のＩＤと一致するＩＤが割り当てられた映像データを自分自身の管理しているデータベースの中から検索する（Ｓ３５）。そして、ＩＤの一致する映像データが見つかった場合には、該当する映像データをステップＳ３６で閲覧制御部４５宛に送出する。
【００５４】
閲覧制御部４５は、ステップＳ３４で要求した映像データをサーバ５５から受信すると（ステップＳ３６）、次のステップＳ３７を実行する。ステップＳ３７では、映像データに対応付けられたＲＦＩＤタグ１２のＩＤを表す固有の識別コードを含む情報を用いて赤外線ＬＥＤ３８を発光制御する。つまり、特定のＲＦＩＤタグ１２のＩＤを含む情報を赤外線信号の形式で送出する。
【００５５】
容器３１内の各録画ボール１０においては、赤外線受光部１３が受信した信号に自分のＲＦＩＤタグ１２のＩＤが含まれている場合には、ステップＳ３８を実行する。すなわち、制御部１１は赤外線受光部１３が受光した赤外線信号の内容に応じて、録画ボール１０内の３つの発光ダイオード１４（Ｒ）、１４（Ｇ）、１４（Ｂ）の発光を制御する。
【００５６】
また、閲覧ユニット３０の利用者が操作部３４に設けられた特定のボタン（閲覧ボタン）を操作した場合には、閲覧制御部４５はステップＳ３９でそれを検出し、次のステップＳ４０に進む。ステップＳ４０では、サーバ５５がステップＳ３６で送出した映像データを再生し、表示部３５上に映像を表示する。表示部３５は、閲覧制御部４５によりデータ編集された映像データを表示するようにしても良い。また、表示部３５に万華鏡機構（鏡３枚を正三角形に組んだもの）を別途設置して、閲覧ユニット３０の利用者がその機構を覗くようにしても良い。これにより、単なる映像の閲覧を超えて、娯楽性のある映像の閲覧が可能になる。
【００５７】
次のステップＳ４１では、閲覧制御部４５は映像データに対応付けられたＲＦＩＤタグ１２のＩＤを表す固有の識別コードを含む情報を用いて赤外線ＬＥＤ３８を発光制御する。つまり、特定のＲＦＩＤタグ１２のＩＤを含む情報を赤外線信号の形式で送出する。
【００５８】
容器３１内の各録画ボール１０においては、赤外線受光部１３が受信した信号に自分のＲＦＩＤタグ１２のＩＤが含まれている場合には、ステップＳ４２を実行する。すなわち、制御部１１は赤外線受光部１３が受光した赤外線信号の内容に応じて、録画ボール１０内の３つの発光ダイオード１４（Ｒ）、１４（Ｇ）、１４（Ｂ）の発光を制御する。
【００５９】
例えば、図１に示すように、同じ容器３１の中に同時に複数の録画ボール１０が収容されている場合には、ＲＦＩＤリーダ４０は複数の録画ボール１０のそれぞれからＲＦＩＤタグ１２のタグＩＤを読み取り、閲覧制御部４５はそれぞれのタグＩＤに対応付けられた複数組の映像データをサーバ５５からそれぞれ取得する。
【００６０】
また、複数組の映像データをサーバ５５から取得した場合には、閲覧制御部４５はステップＳ４０で複数組の映像を順次に再生し表示部３５に表示する。また、表示部３５に表示する映像の表示順序を、操作部３４に対する利用者からの入力操作に応じて決定する。従って、利用者は操作部３４の入力操作により、複数組の映像が表示される順序を自分の意志で変更することができる。また、初期状態では、複数の録画ボール１０が容器３１内に投入された時間的な順番に従って、映像の表示順序が決定されるようにしても良い。
【００６１】
各録画ボール１０内の制御部１１は、映像閲覧時には３つの発光ダイオード１４（Ｒ）、１４（Ｇ）、１４（Ｂ）を次のように発光制御する。まず、録画ボール１０が容器３１内に入ると、赤外線ＬＥＤ３８から出力される赤外線を赤外線受光部１３が受光し、それに応答して、赤色の発光ダイオード１４（Ｒ）が点灯するように制御する。また、サーバ５５から自分のタグＩＤに対応する映像データが取得された時にはステップＳ３８が実行され、自分のタグＩＤに対応する映像データが表示部３５で表示されている時にはステップＳ４２が実行され、現在の状態を表す表示制御が実施される。例えば、自分のタグＩＤに対応する映像データが表示部３５で表示されている時には、青色の発光ダイオード１４（Ｂ）が点滅するように制御する。
【００６２】
いずれにしても、図１に示すようなシステムにおいては、物理的な物体である共通の録画ボール１０を利用することにより、録画側の人間と閲覧側の人間（両者が同一の人であってもよい）との間で情報の受け渡しを録画ボール１０だけで確実に行うことができる。録画ボール１０の受け渡しを行う場合には、カメラユニット２０や閲覧ユニット３０は不要であり、一般的なディスクのような記録媒体と同様に扱うことができる。但し、録画ボール１０自体には情報が記録されないため、録画ボール１０から情報が漏洩する心配はない。また、録画ボール１０自体は基本的には最低限１つのＲＦＩＤタグを備えるだけでよいので、非常に安価に構成することが可能であり、形状や大きさには全く制限がない。
【産業上の利用可能性】
【００６３】
以上のように、本発明の情報取得装置を用いる場合には、ＲＦＩＤタグの識別コードを鍵として利用し情報の受け渡しを行うことができるので、記録機能のない物体の受け渡しだけで情報を受け渡しすることができる。また、録画ボール１０のような物体は安価であり、形状や大きさの自由度が高いので、様々な用途に利用できる。
【００６４】
録画ボールの用途としては、映像メッセージを録画した録画ボールをプレゼントに用いることにより、個性ある映像メッセージを簡易にプレゼントすることができる。また、サービス促進用映像（例えば、観光地の観光名所の映像、ある製品やその製品を提供する企業の宣伝映像など）を録画した録画ボールをサービス対象者に配布することにより、サービス対象者の購買意欲を促進することができる。また、利用者が撮影した画像を形のある録画ボールとして残すことができるため、その録画した映像を思い出としてより印象付けて利用者に残すことができる。
【００６５】
また、録画ボール１０のような特定の物体を所有していない限りネットワーク上のサーバからデータを取得できないので、安全性の高いデータの受け渡しを必要とする用途に適している。
【図面の簡単な説明】
【００６６】
【図１】本発明の実施の形態のシステムを構成する主要な構成要素の外観を示すブロック図
【図２】本発明の実施の形態のシステムにおいて映像を録画する場合に用いられる装置の構成を示すブロック図
【図３】本発明の実施の形態のシステムにおいて映像を閲覧する場合に用いられる装置の構成を示すブロック図
【図４】本発明の実施の形態のシステムにおいて映像を録画する場合の各部の動作を示すシーケンス図
【図５】本発明の実施の形態のシステムにおいて映像を閲覧する場合の各部の動作を示すシーケンス図
【符号の説明】
【００６７】
１０  録画ボール
１１  制御部
１２  ＲＦＩＤタグ
１３  赤外線受光部
１４  発光ダイオード
２０  カメラユニット
２１  録画制御部
２２  カメラ
２３  マイク
２４  ステッピングモータ
２５  パンボタン
２６  録画ボタン
２８  制御用コンピュータ
３０  閲覧ユニット
３１  容器
３２  開口部
３３  蓋
３４  操作部
３５  表示部
３６  ＲＦＩＤアンテナ
３７  開口部
３８  赤外線発光ダイオード
４０  ＲＦＩＤリーダ
４５  閲覧制御部
４６  ＡＶコンバータ
５０  映像閲覧装置
５５  サーバ
【図１】
2007026282.tif 000003
【図２】
2007026282.tif 000004
【図３】
2007026282.tif 000005
【図４】
2007026282.tif 000006
【図５】
2007026282.tif 000007